(57)【特許請求の範囲】
【請求項１】
座椅子１、又は足付き椅子Ａに背もたれ２１を取り付けた座椅子の支柱２６を設け、この座椅子の支柱２６にひじかけ４を回動可能に設ける。左右ひじかけ４の先端に台金具パイプ１０をつなぎ、この台金具パイプ１０にかぶさってスライドするスライドパイプ１３を設け、これに自在調整金具１１を取り付ける。スライド可能な自在調整金具１１に本セット板１６を取り付け、本セット板１６に本をセットして、寝て読書の時はひじかけ４を垂直に上げ、座って読書の時はひじかけ４を水平にして使用できるようにした寝て、座って読書するための器具。
【請求項２】
座椅子の支柱２６にパイプ２５を設け、このパイプ２５に軸パイプ２４を回転できるように入れ、この軸パイプ２４の両端に左右のひじかけ４の後端を連結し、ひじかけ４を垂直あるいは水平位置に位置決め出来る様にしたストッパー２９、及び３０を座椅子の支柱２６に設けた、「請求項１」記載の寝て、座って読書するための器具。
【請求項３】
台金具パイプ１０に筆記板９を脱着出来るように設けた「請求項１」または「請求項２」記載の寝て、座って読書するための器具。
【発明の詳細な説明】
【０００１】
【発明の属する技術分野】
本発明は、寝て、座って、自由な体制で読書や筆記が出来る様に構成した、読書や筆記する器具に関するものである
【０００２】
【従来の技術】
読書や筆記、或は新聞を読む場合、本を手で持ったり、机に向かって前かがみですると、頭の重みで、首や肩、腰に負担かかり、疲労して長時間の読書に耐へられない。疲労少く能率良い勉強する為には、座って読み書きする時は、首を上げた姿勢で、或は寝て自由な体制を交互にとり乍ら、読書したい要望がある、が現在それを可能にするように構成された器具がない。そこで今上記の要素を果たそうと、試みに、従来からあった寝てのみ本読む器と、座って読む本読み台の各単品を組合せて使い、効果の程を実施してみた結果、次の様な欠点があった。
（イ）ガサ張って寝るスペースがとれない、読書後そのまま据へ置けず、片付けに手間どる、又寝る座るの切換に時間がかかり、スムーズにいかない。
（ロ）各々の単品を利用するので、両者の間には、自由な体の動きに伴う目線と読む箇所を合せる為の調整が出来ない。
（ハ）筆記する装置がなく、又本を１冊しかセット出来ないので、勉強する場合不便である。
（ニ）従来からある本読器の本セット板は華奢で、部厚く重い本や、大版本、や新聞はセット出来ない、又、本をめくる装置も、改良すべき点がある。
【０００３】
【発明が解決しようとする課題】
上記の欠点から教へられて、これら欠点をなくし、更に改良を加へたものを、発明して、要望を達成することが、課題である。
【０００４】
【課題を解決するための手段】
（イ）従来からある寝て読書する器と、座って読む本読台の各々の機能を組み合せ１台でその機能を果たす、その基台として、足付き椅子Ａ、座椅子１を用いる。その理由は、
（Ａ）寝て、或は座って読書する時、読む人の体制の切換へがスムーズである。
（Ｂ）コンパクトになり、スペースをとらない、寝台の枕部、タタミの上、足付椅子の座部、コタツの座部に手軽に移動して使用できる。
（Ｃ）椅子がスタンドの作用を兼ね安定感がある
（ロ）本発明品全体の構成
（Ａ）従来からある、寝てのみ読書する器と、座ってのみ読む本読み台の各々の機能を組み合せ、１台でその機能を果たすため、背もたれ２１を取り付けた座椅子１又は足付き椅子Ａ、を基台として用いる図１、図６。座椅子１に回動する左右ひじかけ４を設け、左右ひじかけ４の先端に台金具パイプ１０をつなぐ、図１、図３。台金具パイプ１０にかぶさったスライドパイプ１３に自在調整金具１１を取付け、これに本セット板のアーム１２を差し込み、本セット板１６を取り付ける。さらに台金具パイプ１０に筆記板９を取り付ける、図１、図３、図５。
（Ｂ）寝て読書する時は、ひじかけ４を、図２でみる様に軸パイプ２４を支点として垂直に上げ、ストッパー３０で固定する、この時、台金具パイプ１０も同時に上るので自在調整金具１１に本セット板１６を差し込んで読書する、図２。
（Ｃ）座って読書する時は、ひじかけ４を水平にする、この時、台金具パイプ１０も同時に下がるので自在調整金具１１に本セット板１６を差し込んで読書する、図１。
（Ｄ）台金具パイプ１０に、脱着出来る筆記板９を設ける、図１。
【０００５】
【発明の実施の形態】
（イ）椅子の構成と作用
（Ａ）本器の基台は、背もたれ２１を取り付けた座椅子１又は足付き椅子Ａ、を用いる。足付椅子は、文字通り、一般の事務椅子や、ソファーである、本器は何れを用いても、寝て座って読書する器に変りない。
（Ｂ）座椅子の座部は、座部１、と座部３の、２枚の板から成り、両者を蝶番２でつなぎ、寝て読む時は図２の如く折りたたんで、座部の広さを、枕を置くだけの広さに狭める、これは、寝た時、首や肩に、板の段差による抵抗をなくすためである、座って読む時は、折たたみを戻して座部を広くする、図１、２。
（ロ）ひじかけの構成と作用
（Ａ）左右ひじかけパイプ４の後方を、軸パイプ２４でつなぐことによって、左右のひじかけは軸パイプ２４を芯に、共に上下する、寝て読書する時は、図２でみる様に、ひじかけを垂直に上げ、ストッパー３０で固定し、自在調整金具１１に、本セット板１６を差し込む、図２。
（Ｂ）左右のひじかけパイプ４の前方に、パイプ４の中をスライドするパイプ５を設け、パイプ５の先端に凹形金具６をとりつける、これは、台金具１０にとりつけた凸形金具７とかみ合って人の出入りする開閉の作用をする、又パイプ５は、ひじかけパイプ４の中をスライドして伸縮することにより、座る人の体の大小に応じて、ひじかけの長短を調整する、図３。
（Ｃ）椅子の柱部２６にストッパー２９をとりつけ、ストッパー２９に押ねじ２８をとりつける、この押ねじ２８の調整により、ひじかけ部の高低を調整し、座る人の体型に合せる図１
（Ｄ）左ひじかけパイプ４の前端を照明灯の位置とし、照明灯の支柱には自在調整金具２０をとりつける、これによって、ひじかけを垂直にした時も、水平にした時も、同時に照明灯も上下するので、任意の所を照明することが出来る
（ハ）台金具の構成と作用
台金具の作用は、
（Ａ）本セット板１６や、筆記板９をとりつける台であると共に、これを左右にスライドさせる為のレールの作用をする
（Ｂ）左右のひじかけ４の先端をつなぐと共に、人が出入りする時の開閉口である、台金具の構成
（Ａ）台金具パイプ１０にかぶさって、台金具１０をレールとして左右にスライドするパイプ１３を設ける、パイプ１３に自在調整金具１１をとりつけ、これに本セット板を差し込む、パイプ１３は、筆記板９をとりつける時や、台金具を開閉する時、本セット板１６を適宜移動させる作用をする。
（Ｂ）パイプ１０の左右の両端に、自在調整金具８と凸形金具７をとりつける、これは台金具１０の自在な開閉と、凹形金具６とかみ合って、ストッパーの作用をする
（ニ）本セット板１６の構成と作用
本セット板１６は、長方形の板と、これにとりつけたアーム１２と、ゴムヒモと、バネバサミ１５から成っている、その構成は
（Ａ）本セット板１６の板の左右端部に、ゴムヒモ１４を表裏共にかけめぐらす。図４、これは、板の表裏に２冊の本をセット出来る様にする為である。
（Ｂ）かけめぐらしたゴムヒモ１４が、板の上縁と、下縁に接す所の上下４ヶ所に取手１７を設ける、図４、これは、セットする本の大小によって、ゴムヒモ１４を左右に移動させたい時や、本をセットする時、手で持つ為の取手である。
（Ｃ）ゴムヒモ１４に沿って、上下にスライドする様に、ゴムヒモ１４の通る穴明きのバネバサミ１５を、表裏４ヶ所にとりつける、図４、これは本の両端部を押へると共に、本をめくりやすくする為である。
（Ｄ）板の中央に、本の中央を押へる為、ゴムヒモ１９の一端は、板の下縁に固定し、他の一端には、かぎ金具１８をとりつけて、板の上縁にかける
（Ｅ）新聞をセットする場合は、バネバサミで、新聞の左右と、板の左右両端部を、共に押へる。
（ホ）本セット板１６のアーム１２は、自在調整金具１１に差し込まれて、次の作用をする
（Ａ）自在調整金具１１の穴を上下にスライドさせ任意の位置に、本セット板１６を、押ねじで固定することにより、座って読書する場合、背や首を曲げることなく、首を上げた姿勢で、本や新聞を読む
（Ｂ）自在調整金具１１に差し込まれたアームは、本セット板１６と共に、前後、左右に動き、更に台金具１０をレールとして左右に移動する。又、自在金具１１の穴を軸として、表裏に回転するので、自由な体制で読書しても、目線と読む箇所の調整が、容易である。図３
（Ｃ）本セット板１６の表裏両面に、本を２冊セットし、アーム１２を回転させれば、読書が交互に出来て、勉強の時便利である。
（ヘ）筆記板９の構成と作用
（Ａ）本器は、読書のみならず筆記することも出来る様に構成した。図５にみる如く筆記板９の板の下部に凹形みぞを設け、このみぞの左部は台金具１０に、右部はひじかけパイプ４の先端に、各々脱着出来る様にはめ込む。
【０００６】
【発明の効果】
本発明品を試作し、使用してみた結果、次の様な効果がある。
（Ａ）読書の際、首や背を曲げることなく、首を上げ、背を伸ばした姿勢で出来るので長時間の読書や勉強でも、疲れ少く、能率がよい。
（Ｂ）本を手でもったりせず、寝て、或は座って自由な体制をとっても、目線と読む個所を任意に合せることが出来る、又、新聞を読む時も楽であり、筆記も出来て便利である。
（Ｃ）本器は手軽に移動出来るので、寝台や、タタミの上、コタツ、或は一般の足付き椅子やソファーの座部に直接置いて使用すると、便利である。
（Ｄ）座椅子部を、コンパクトに折りたためるので、ガサ張らず、片付けに手間どらない。
【図面の簡単な説明】
【図１】  本発明品の全体図。
【図２】  寝て読書する時、ひじかけ部を垂直に上げた状態の図。
【図３】  ひじかけ部４、と、台金具１０、と、自在調整金具１１の図
【図４】  本セット板１６の図。
【図５】  筆記板９の図。
【図６】  足付き椅子に、本発明の構成を適用した図。
【符号の説明】
１、座椅子
２、蝶番
３、蝶番で連結した座部
４、ひじかけパイプ
５、ひじかけパイプ４の中に入ってスライドするパイプ
６、凹形金具
７、凸形金具
８、自在調整金具
９、筆記板
１０、台金具パイプ
１１、自在調整金具
１２、本セット板のアーム
１３、台金具パイプ１０にかぶさってスライドするパイプ
１４、ゴムヒモ
１５、バネバサミ
１６、本セット板
１７、ゴムヒモ１４にとりつけた取手
１８、ゴムヒモ１９にとりつけた、かぎ金具
１９、ゴムヒモ
２０、照明灯と、自在調整金具
２１、座椅子の背モタレ
２２、軸パイプ２３の入るパイプ
２３、軸パイプ
２４、軸パイプ
２５、軸パイプ２４が入るパイプ
２６、座椅子の支柱
２７、リクライニング金具
２８、押しねじ
２９、ストッパー
３０、ストッパー
【図１】
0003721453.tif 000002
【図２】
0003721453.tif 000003
【図３】
0003721453.tif 000004
【図４】
0003721453.tif 000005
【図５】
0003721453.tif 000006
【図６】
0003721453.tif 000007